(57)【要約】【課題】無線モジュールを備えた受信部を、設置スペースを容易に確保できて外観に現れない部位に配置することで意匠性を良好にした空気調和機を提供する。【解決手段】フィルタ２１を備えた吸込口２と吹出口３とが開閉パネル８で開閉自在に覆われ、吸込口２と吹出口３とを結ぶ空気通路に熱交換器５とクロスフローファン６とを配置し、クロスフローファン６から吹出口３までの空気通路がフロントガイダ３ａとリヤガイダ３ｂとで形成され、フロントガイダ３ａには空気通路を形成する面の背面３ａ１に、熱交換器５の露受皿４を形成するための露受皿用リブ４１を備えた室内機本体１と、無線リモコン１９とからなる空気調和機において、フィルタ２１の下部とフロントガイダ３ａと露受皿用リブ４１とで間隙部９ａが形成され、間隙部９ａに、無線リモコン１９の電波を受ける無線モジュールを備えた受信部１０を配置した。【選択図】図２
2013120035.tif 000002
【特許請求の範囲】
【請求項１】
フィルタを備えた吸込口と吹出口とが開閉パネルで開閉自在に覆われ、前記吸込口と前記吹出口とを結ぶ空気通路に熱交換器とクロスフローファンとを配置し、同クロスフローファンから前記吹出口までの前記空気通路がフロントガイダとリヤガイダとで形成され、前記フロントガイダには前記空気通路を形成する面の背面に、前記熱交換器の露受皿を形成するための露受皿用リブを備えた室内機本体と、無線リモコンとからなる空気調和機において、
前記フィルタの下部と前記フロントガイダと前記露受皿用リブとで間隙部が形成され、同間隙部に、前記無線リモコンの電波を受ける無線モジュールを備えた受信部が配置されたことを特徴とする空気調和機。
【請求項２】
前記開閉パネルは、下端が運転時に前記間隙部の下端部まで移動することを特徴とする請求項１に記載の空気調和機。
【請求項３】
前記間隙部に、スピーカおよび本体側スイッチ等が配置されるとともに、これらスピーカおよび本体側スイッチ等が配置される間に前記受信部が配置されたことを特徴とする請求項１または請求項２に記載の空気調和機。
【発明の詳細な説明】
【技術分野】
【０００１】
本発明は、空気調和機に係わり、より詳細には、電波を用いた無線リモコンと通信を行う無線モジュールの室内機側の配置構成に関するものである。
【背景技術】
【０００２】
リモコン（図示せず）と電波を介して通信を行う従来の空気調和機として、図３および図４に示すものが開示されている。
【０００３】
図３（Ａ）および図３（Ｂ）に一例として示す従来の空気調和機は、室内機本体１０１の前部に備えた前面パネル１０２の一部に薄肉部１０３を形成して、リモコンからの信号を、薄肉部１０３の背面側に配置した無線モジュールによる受信部１０４で受信できるようにすることで、薄肉部１０３で受信部１０４を隠して意匠性の向上を図るようにしている（例えば、特許文献１参照）。
【０００４】
しかしながら、開閉パネル１０５を有する前面パネル１０２の一部に形成された薄肉部１０３は、前面パネル１０２の外観においてどの部位に形成されているかを目視で判別できるため、無線モジュールによる受信部１０４の位置を視認できないようにはならず、必ずしも意匠性の向上を図れなかった。
【０００５】
または、図４（Ａ）および図４（Ｂ）に他の例として示すように、無線モジュールによる受信部１０４が、開閉パネル１０５の下部に位置する前面パネル１０２の左右中央部であって、吹出口１０６の上部に配置されて外部から視認できるようにしたことで、全体が左右対称となる配置構成をとっている。
【０００６】
これにより、無線モジュールによる受信部１０４が室内機本体１０１内の一側に備えた電装部１０９の近傍での配置を避けて受信基板（図示せず）の設置スペースを確保しやすくし、無線モジュールによる受信部１０４の向きを室内に向けやすくしている（例えば、特許文献２参照）。
【０００７】
しかしながら、無線モジュールによる受信部１０４が外観に現れていることから、意匠性を損なわせないためには、全体を左右対称とする配置構成を崩さないようにするため、受信部１０４が室内機本体１０１の左右中央部であって、吹出口１０６の上部のみに限定して配置される必要があるという問題点を有していた。
【先行技術文献】
【特許文献】
【０００８】
【特許文献１】特開２００８−３９３５２号公報
【特許文献２】特開平７−６３３６８号公報
【発明の概要】
【発明が解決しようとする課題】
【０００９】
本発明は、上記問題点に鑑み、無線モジュールを備えた受信部を、設置スペースを容易に確保できて外観に現れない部位に配置することで意匠性を良好にした空気調和機を提供することを目的とする。
【課題を解決するための手段】
【００１０】
上述した目的を達成するため、本発明は以下に示す特徴を備えている。
【００１１】
フィルタを備えた吸込口と吹出口とが開閉パネルで開閉自在に覆われ、前記吸込口と前記吹出口とを結ぶ空気通路に熱交換器とクロスフローファンとを配置し、同クロスフローファンから前記吹出口までの前記空気通路がフロントガイダとリヤガイダとで形成され、前記フロントガイダには前記空気通路を形成する面の背面に、前記熱交換器の露受皿を形成するための露受皿用リブを備えた室内機本体と、無線リモコンとからなる空気調和機において、
前記フィルタの下部と前記フロントガイダと前記露受皿用リブとで間隙部が形成され、同間隙部に、前記無線リモコンの電波を受ける無線モジュールを備えた受信部が配置されたことを特徴としている。
【００１２】
また、前記開閉パネルは、下端が運転時に前記間隙部の下端部まで移動することを特徴としている。
【００１３】
また、前記間隙部に、スピーカおよび本体側スイッチ等が配置されるとともに、これらスピーカおよび本体側スイッチ等が配置される間に前記受信部が配置されたことを特徴としている。
【発明の効果】
【００１４】
本発明によれば、無線モジュールを備えた受信部を、設置スペースを容易に確保できて外観に現れない部位に配置することで意匠性を良好にした空気調和機を提供できる。
【図面の簡単な説明】
【００１５】
【図１】本発明による空気調和機の外観斜視図で、（Ａ）は運転停止状態を示し、（Ｂ）は運転状態を示す。
【図２】本発明による空気調和機の説明図で、（Ａ）は開閉パネルを上方に移動して受信部カバーを分解した斜視図であり、（Ｂ）は無線モジュールによる受信部を含む運転状態の断面図である。
【図３】従来例による空気調和機の一例を示す説明図で、（Ａ）は正面図であり、（Ｂ）は要部斜視図である。
【図４】従来例による空気調和機の他の例を示す説明図で、（Ａ）は斜視図であり、（Ｂ）は熱交換器および電装部の配置を示す模式図であり、（Ｃ）は要部断面図である。
【発明を実施するための形態】
【００１６】
以下、本発明の実施の形態を、添付図面に基づいた実施例として詳細に説明する。
【００１７】
本発明による空気調和機は、図１および図２に示すように、操作信号を受信する受信部１０を備えた室内機本体１と、無線リモコン１９とからなる。
【００１８】
無線リモコン１９は、受信部１０に対し無線電波で操作信号を送ることから、無線の操作信号が届く範囲であれば、無線リモコン１９を受信部１０に向けなくても室内機本体１の空調運転を指示することができる。そのため、リモコンを受信部１０に向けなければ空調運転指示を実行できない赤外線方式のリモコンと較べて使い勝手がよい。
【００１９】
室内機本体１の前面上部には吸込口２が設けられ、吸込口２の前面にはフィルタ２１ａとフィルタ２１ａを自動清掃するフィルタカセット２１が設けられている。室内機本体１の前面下部には吹出口３が設けられている。吸込口２と吹出口３とは、運転時には開かれ運転停止時には閉じられる開閉パネル８で覆われている。吸込口２と吹出口３とを結ぶ空気通路には熱交換器５とクロスフローファン６とを配置している。熱交換器５の側部には電装部７を配置している。
【００２０】
クロスフローファン６から吹出口３までの空気通路は、フロントガイダ３ａとリヤガイダ３ｂと側壁３ｃ，３ｄとで構成されている。フロントガイダ３ａの背面３ａ１は、吹出口３とクロスフローファン６との間の何れかの位置に露受皿用リブ４１を備え、フロントガイダ３ａの背面と露受皿用リブ４１の後面とで熱交換器５の露受皿４を形成している。
【００２１】
上記の構成により、開閉パネル８が開かれてクロスフローファン６により吸込口２から吸い込まれた空気はフィルタ２１ａを通過して塵埃を除去された後熱交換器５で冷媒と熱交換され、フロントガイダ３ａとリヤガイダ３ｂと側壁３ｃ，３ｄとで導かれて、吹出口３から被空調室に吹き出される。
【００２２】
フロントガイダ３ａの背面３ａ１と、露受皿用リブ４１の前面と、フィルタ２１ａの下部つまりフィルタカセット２１の下部との間には、間隙部９ａが形成されている。間隙部９ａは図２（Ｂ）に示すように、紙面の奥行き方向に延びる溝状の空間であり、前方が開放されている。
【００２３】
間隙部９ａは、フロントガイダ３ａと露受皿４とフィルタ２１ａの下部つまりフィルタカセット２１との配置から生まれた空間であり、溝状で電装部７の近傍であることから配線を通すのに適した溝であるため、使用機会の少ない本体側スイッチとして、無線リモコン１９との通信を開始するようにペアリングするためのペアリングスイッチ１３と、自動運転、フィルタリセットまたは強制冷房等を設定するための設定スイット１４とが配置されるとともに、運転情報を音声で知らせるためのスピーカ１５が配置されている。また図示はしないがイオン発生器等が配置されている。
【００２４】
また、間隙部９ａには、設定スイッチ１４とスピーカ１５との間に、無線リモコン１９の電波を受ける無線モジュールを備えた受信部１０が配置されている。受信部１０は受信部ケース１０ａと、受信部ケース１０ａ内に収容された受信基板１１と、受信部ケース１０ａの前面を覆う受信部カバー１２とで構成される。受信部カバー１２の前部にはパネルカバー９ｃが設けられる。
【００２５】
また、受信部１０と離間して、主電源スイッチ１６と人検知センサ１７とＬＥＤ表示部１８とを、互いに近接させた状態で外観に現れる吹出口３の側部であって電装部７の近傍に配置させることで、主電源スイッチ１６のＯＮ−ＯＦＦや、ＬＥＤ表示部１８による運転情報などを従来通り容易に視認できるようにしている。
【００２６】
以上説明したように、本発明の構成によれば、受信部１０は、フロントガイダ３ａと露受皿用リブ４１とフィルタ２１との配置から生まれた間隙部９ａに配置されることで、外観に現れないため意匠性を損ねてしまう虞がなくなり、受信部ケース１０ａをペアリングスイッチ１３、設定スイッチ１４またはスピーカ１５のような他の部品の間に配置するため、配置する場所の自由度が高く配置するスペースを確保しやすい位置を選べる空気調和機となる。
【符号の説明】
【００２７】
１  室内機本体
２  吸込口
２１  フィルタカセット
２１ａ  フィルタ
３  吹出口
３ａ  フロントガイダ
３ａ１  背面
３ｂ  リヤガイダ
３ｃ，３ｄ  側壁
４  露受皿
４１  露受皿用リブ
５  熱交換器
６  クロスフローファン
７  電装部
８  開閉パネル
９ａ  間隙部
９ｂ  断熱材
９ｃ  パネルカバー
１０  受信部
１０ａ  受信部ケース
１１  受信基板
１２  受信部カバー
１３  ペアリングスイッチ
１４  設定スイッチ
１５  スピーカ
１６  主電源スイッチ
１７  人検知センサ
１８  ＬＥＤ表示部
１９  無線リモコン
【図１】
2013120035.tif 000003
【図２】
2013120035.tif 000004
【図３】
2013120035.tif 000005
【図４】
2013120035.tif 000006